(57)【要約】  【課題】照明器具に用いるセンサ装置の高さ寸法を小さくする。組み立ての作業性を向上する。  【解決手段】センサ装置20は、ケース40を縦方向に２分割して第１の部材51と第２の部材52とで構成する。２枚の基板41，42を、ケース40の内面に形成した係合溝61，62にスライドさせて差し込む。第１の基板41と第２の基板42とを互いに平行に配置する。第１の基板41のセンサ本体44を配置した面である実装面と、第２の基板42の点灯保持時間を設定するスイッチ45及びコネクタ46を配置した面である実装面とは互いに反対方向を向けて背中合わせに配置する。第１の基板41と第２の基板42とを近接して配置でき、センサ装置20の高さ寸法を抑制できる。  【選択図】図１
2006138677.tif 000002
【特許請求の範囲】
【請求項１】
第１の部材とこの第１の部材に第１の方向から組み合わされる第２の部材とを備え内部に収納部及び第１の方向に沿った第１及び第２の係合溝を設けたケースと；
第１の係合溝に縁部を係合されて収納部に収納される第１の基板と；
第２の係合溝に縁部を係合されて収納部に収納される第２の基板と；
第１の基板に取り付けられたセンサ本体と；
第２の基板に取り付けられ第１の方向と交差する第２の方向を操作方向とする操作部と；
を具備していることを特徴とするセンサ装置。
【請求項２】
ケースは、被取付部材に係止される係止部と、被取付部材に締め付け具を用いて締め付け固定される固定部とを備えた
ことを特徴とする請求項１記載のセンサ装置。
【請求項３】
器具本体と；
器具本体に取り付けられランプを点灯させる点灯装置と；
請求項１または２記載のセンサ装置と；
点灯装置及び制御装置に接続され、；
第２の操作部を備え、センサ装置からの入力に応じて点灯装置の点灯状態を制御する制御装置と；
を具備していることを特徴とする照明器具。
【発明の詳細な説明】
【技術分野】
【０００１】
本発明は、例えば、人を検知するセンサ装置及びセンサ装置を備えた照明器具に関する。
【背景技術】
【０００２】
従来、人を検知する人感センサであるセンサ装置を備え、ランプを自動的に点灯、消灯、あるいは調光などする照明器具が知られている（例えば、特許文献１、特許文献２参照。）。このような照明器具において、操作性の向上などのため、センサ装置に操作部を備える構成が求められるとともに、照明器具の小形化あるいは薄型化などのため、センサ装置の小型化が求められている。
【０００３】
この点、操作部を備えた構成として、ケース内に２枚の基板を収納したタイマ装置が知られている（例えば、特許文献３参照。）。このタイマ装置では、ケースの上端部に押しボタンスイッチの操作部が配置され、この押しボタンスイッチの下方に、２枚の基板が互いに間隔を介して水平に配置されている。また、ケースは上下の部材に２分割され、押しボタンスイッチや２枚の基板は、各部材に例えば落とし込むようにして配置されている。
【特許文献１】特開２０００−２８５７２６号公報（第１頁、図１）
【特許文献２】特開２００１−２９１４１９号公報（第１頁、図１）
【特許文献３】特開平１１−１３４９９１号公報（第８頁、図６）
【発明の開示】
【発明が解決しようとする課題】
【０００４】
しかしながら、上記従来のように、上下に２分割した部材を組み合わせてケースを構成し、このケースの上端部に押しボタンスイッチの操作部を配置する構成をセンサ装置に適用すると、操作部に加わる操作力が各部材を互いに外れさせる方向に加わるため、部材同士を強固に固定する必要があり、構造が複雑になり製造コストが上昇する問題を有している。また、このケースは、壁面に埋込設置された配線ボックスに配置されるもので、取り付けには専用の取付枠を用いる必要がある。さらに、ケースの各部材に基板を落とし込む作業は煩雑で、特に、センサについては、受光部など作業時に手で触れることが好ましくない部分が存在するが、ケースの各部材に基板を落とし込む構成では、センサなどに手が触れやすくなり、作業性が良くない問題を有している。
【０００５】
本発明は、このような点に鑑みなされたもので、
構造の簡略化や製造工程の簡略化が可能で製造コストを低減できるセンサ装置及び照明器具を提供することを目的とする。
【課題を解決するための手段】
【０００６】
請求項１記載のセンサ装置は、第１の部材とこの第１の部材に第１の方向から組み合わされる第２の部材とを備え内部に収納部及び第１の方向に沿った第１及び第２の係合溝を設けたケースと；第１の係合溝に縁部を係合されて収納部に収納される第１の基板と；第２の係合溝に縁部を係合されて収納部に収納される第２の基板と；第１の基板に取り付けられたセンサ本体と；第２の基板に取り付けられ第１の方向と交差する第２の方向を操作方向とする操作部と；を具備しているものである。
【０００７】
なお、センサ本体は、例えば人の発する赤外線を受けて人を検知する人感センサである。また、このセンサ装置は、例えば天井直付形の照明器具にセンサ本体を下方に向けて取り付けられ、例えば、第１の方向は水平方向であり、第２の方向は第１の方向と直交する上下方向である。
【０００８】
そして、この構成では、基板は、ケースの係合溝に係合して収納部に収納され、ケースに落とし込むようにして収納する構成に比べ、組立作業が容易になり、製造コストが低減される。操作部を設けたため、センサ装置の部分で設定が可能になり、操作性が向上する。操作部の操作方向を第１の部材に第２の部材を組み合わせる方向と交差させたため、操作部を操作する力により第１の部材と第２の部材とが外れにくくなり、第１の部材と第２の部材とを結合する構造の簡略化が可能になり、製造コストが低減される。
【０００９】
請求項２記載のセンサ装置は、請求項１記載のセンサ装置において、ケースは、被取付部材に係止される係止部と、被取付部材に締め付け具を用いて締め付け固定される固定部とを備えたものである。
【００１０】
なお、例えば、被取付部材は照明器具の器具本体であり、締め付け具はねじである。
【００１１】
そして、この構成では、係止部を被取付部材に係止した状態で、締め付け具を用いて固定部を被取付部材に締め付け固定することにより、センサ装置が被取付部材に取り付けられる。締め付け具が１個で済み、部品点数及び作業工数が削減され、製造コスト及び取り付けに要する作業コストが低減される。１個の締め付け具を締め付け固定する際に、係止部によりセンサ装置が位置決めされ、作業性が良好になる。
【００１２】
請求項３記載の照明器具は、器具本体と；器具本体に取り付けられランプを点灯させる点灯装置と；請求項１または２記載のセンサ装置と；点灯装置及び制御装置に接続され、；第２の操作部を備え、センサ装置からの入力に応じて点灯装置の点灯状態を制御する制御装置と；を具備しているものである。
【００１３】
例えば、第１の操作部は、センサ装置が人を検知しランプを点灯させてから最低限点灯を継続する点灯保持時間を設定する。また、第２の点灯装置は、点灯保持時間の経過後のランプの状態を設定し、例えば、ランプを消灯させるかあるいは減光した調光状態とするかを設定する。
【００１４】
そして、この構成では、センサ装置の操作部と、制御装置の第２の操作部とに、それぞれ機能を割り当てることにより、誤操作を防止するなどして、操作性を良好にすることが可能となる。また、センサ装置と制御装置といずれかに複数の操作部を設ける構成に比べ、センサ装置と制御装置とを小形化することが可能となり、配置の自由度が向上するとともに、汎用性が向上する。
【発明の効果】
【００１５】
本発明のセンサ装置によれば、製造コストを低減できるとともに、操作性を向上できる。
【００１６】
また、本発明の照明器具によれば、操作性を良好にできるとともに、配置の自由度を向上し、汎用性を向上できる。
【発明を実施するための最良の形態】
【００１７】
以下、本発明のセンサ装置及び照明器具の一実施の形態を図面を参照して説明する。
【００１８】
図１は本発明のセンサ装置の一実施の形態を示す説明図であり、（a）は斜視図、（b）は一部の斜視図である。図２は同上センサ装置の一部の斜視図である。図３は同上センサ装置の一部の斜視図である。図４は本発明の照明器具の一実施の形態を示す一部を切り欠いた端面図である。図５は同上照明器具の斜視図である。図６は同上照明器具の側面図である。図７は同上照明器具の平面図である。図８は同上照明器具の制御装置の正面図である。図９は同上制御装置の側面図である。図１０は同上制御装置の端面図である。
【００１９】
図４ないし図７において、10は照明器具で、この照明器具10は、設置面である天井面11に埋込設置される埋込形照明器具で、オフィス、会議室、事務所などの施設に設置される省電力を目的とした機能を有し、被取付部材としての器具本体12、反射体である反射板14、ランプソケット15、端子台16、点灯装置18、センサ装置20、制御装置21、及びランプＬなどにてセンサ付照明器具として構成されている。
【００２０】
そして、器具本体12は、光を反射する白色塗装をなした金属板などにて形成され、下面を照射開口24とした薄箱状をなし、基板部25と、この基板部25の長手方向に沿った両側部から拡開状に下方に延びる側板部26と、基板部25の長手方向の両端部から下方に延びる端板部27と、これら側板部26と端板部27との外周部から外周側に水平に延設され、さらに上側に延設された縁部28とを備えている。そして、基板部25には、幅方向の中央部に位置し、長手方向に沿った部分が部品取付部25aとなり、この部品取付部25aの両端部近傍に取付部としての対をなす異形のボルト孔25bが形成されているとともに、部品取付部25aの長手方向の中央に位置して円形の通孔25cが形成されている。また、一端側のボルト孔25bの通孔25c側に位置して天井部に配線された図示しない電源線などを導入するための電源用孔25dが形成されている。そして、部品取付部25aの下面には、一端側のボルト孔25bの通孔25cの反対側に位置してセンサ装置20が取り付けられている。また、電源用孔25dと通孔25cとの間には、端子台16と制御装置21とが取り付けられている。さらに、通孔25cと他端側のボルト孔25bとの間には、点灯装置18が取り付けられている。また、端板部27には、必要に応じて送り配線を可能にするノックアウト部27aが設けられている。
【００２１】
また、反射板14は、光を反射する白色塗装をなした金属板などにて形成されて器具本体12の内側に取り付けられ、部品取付部25a及びこの部品取付部25aに取り付けられた部品を覆う断面略Ｖ字状の中央反射部14aと、この中央反射部14aの上端部から両側の側板部26に向かい下方に弧状をなして延設された側部反射部14bとを備えている。さらに、中央反射部14aの長手方向の一端部近傍には、センサ装置20の位置に対応して、円孔状のセンサ用通孔14cが形成されている。
【００２２】
そして、点灯装置18は、安定器である電子安定器である、いわゆるインバータである。
【００２３】
また、ランプソケット15は、それぞれ器具本体12の内側の両端部に、部品取付部25aの両側に位置して取り付けられ、これらランプソケット15間に装着された直管形の蛍光ランプであるランプＬが、反射板14の光学的に対向するようになっている。なお、このランプＬは、高周波点灯専用の細径の３２Ｗ形の直管形の蛍光ランプを用いている。
【００２４】
そして、天井面11に形成した四角状の通孔に器具本体12の基板部25を挿入するとともに、天井内に配置された図示しない吊りボルトをボルト孔25bに挿入し、吊りボルトに螺合したナットをボルト孔25bの幅寸法の小さい部分に締め付けることにより、照明器具10が設置される。そして、電源用孔25dから器具本体12内に導入された電源線は、端子台16に接続され、この端子台16から、図示しない配線により、制御装置21を介して点灯装置18に接続されている。また、制御装置21には、配線を介してセンサ装置20も接続されている。さらに、点灯装置18は、配線を介して各ランプソケット15に接続され、電源線からの電力の供給状態やセンサ装置20からの入力に応じた制御装置21の制御により、ランプソケット15に装着されたランプＬを点灯、消灯、あるいは減光した状態で調光点灯させるようになっている。
【００２５】
また、センサ装置20及び制御装置21は、センサ機構を構成し、センサ装置20側に設けた操作部31と、制御装置21側に設けた第２の操作部32との設定により、動作が選択される。例えば、センサ装置20の操作部31では、センサ装置20のオフすなわち常時点灯と、点灯保持時間３分の短時間モードと、点灯保持時間６分の長時間モードと、設置作業時などに用いる点灯保持時間数秒の確認モードとを選択できるようになっている。また、制御装置21の第２の操作部32では、１００％の明るさで点灯する点灯保持時間の経過後に、２５％の明るさで点灯する調光点灯とする調光モードと、点灯保持時間の経過後に消灯する点灯消灯モードとを切換可能となっている。例えば、調光モードでは、調光点灯している状態で、センサ装置20が照明器具10の下方の所定の検知範囲に人を検知すると、このセンサ装置20からの入力に基づき、制御装置21は点灯装置18を制御し、１００％の明るさでランプＬを点灯させる。そして、人を検知しなくなってから、設定された点灯保持時間の経過後、点灯装置18の出力を低下させ、２５％の明るさでランプＬを点灯させるようになっている。
【００２６】
次に、センサ装置20及び制御装置21について説明する。
【００２７】
センサ装置20は、いわゆる人感センサ付き照明器具のセンサモジュールであり、図１ないし図３に示すように、絶縁性のケース40と、このケース40に収納されるセンサ基板である第１の基板41及びスイッチ基板である第２の基板42と、第１の基板41に取り付けられたセンサ本体44と、第２の基板に取り付けられたスイッチ45及びコネクタ46とを備えている。また、図示しないが、各基板41，42には、集積回路などの部品が実装されているとともに、各基板41，42は配線により互いに電気的に接続されている。なお、図１において、矢印Ｆ1は第１の方向、矢印Ｆ2は第１の方向に交差かつ直交する第２の方向を示している。
【００２８】
そして、ケース40は、いわば縦方向に２分割して構成され、絶縁性の樹脂にて形成された第１の部材51と、この第１の部材51に係合して組み合わされる第２の部材52とで構成され、これら部材51，52同士を組み合わせた状態で、基板部53、この基板部53に対向する底板部54、これら基板部53と底板部54と連結し第１の方向に対向する端板部55，55、基板部53と底板部54と連結し第２の方向に対向する側板部56，56が形成され、内部を収納部57とした中空の箱状に形成されている。また、これら部材51，52同士を係合して結合する結合構造は、第１の部材51の側板部56から第１の方向に沿った方向に突設した爪状の係合部58を、第２の部材52の側板部56に通孔状に形成した係合受部59に係合して構成されている。また、収納部57の内側には、第１の係合溝61と第２の係合溝62とが形成されている。これら係合溝61，62は、内面に沿って枠状に形成され、各部材51，52の端面には、第１の方向を長手方向とする溝状の部分が開口して形成されている。また、第１の係合溝61は、第２の係合溝62に対して底板部54側に位置し、言い換えれば、第２の係合溝62は第１の係合溝61に対して基板部53側に位置している。さらに、底板部54には、略中央に位置して、円孔の周囲にフランジを筒状に立ち上げたセンサ取付部64が形成されている。また、第１の部材51には、基板部53近傍に位置して、係止部66が形成されているとともに、この係止部66の底板部54側に位置して、第２の方向を長手方向とする矩形状の開口である操作部取付部67が形成されている。係止部66は、基板部53に沿って第１の方向に突設された三角板状の基部66aと、この基部66aの先端部から底板部54の反対方向に突設された半円柱状の軸部66bと、この軸部66bの先端部に径大に設けられた引掛部66cとが一体に形成されている。また、第２の部材52には、基板部53近傍に位置して、固定部68が形成されている。この固定部68は、基板部53に沿って第１の方向の反対方向に突設された三角板状の基部68aと、この基部68aの先端部に切り欠き状に形成された通孔部68bとを備えている。さらに、第１の部材51の側板部56には、第２の方向に沿ってコネクタ用開口が形成されている。また、基板部53には、第１の方向に沿って、凹設された凹条部70が形成されている。
【００２９】
そして、第１の基板41は、センサ基板であり、一面に、センサ本体44を構成する図示しない受光部及びセンサ機能を果たすための回路が実装されているとともに、この受光部を覆い、センサ本体44を構成する略半球状のセンサレンズともよばれる受光レンズ44aが取り付けられている。また、第２の基板42は、スイッチ基板であり、他面に、動作時間設定の切替スイッチである操作部31を設けたスイッチ45と、照明器具10内の配線が接続される接続部であるコネクタ46とが実装されている。ここで、スイッチ45の操作部31の突出方向と、コネクタ46の開口方向すなわちこのコネクタ46にプラグを挿脱する方向は直交するが、操作部31の移動方向すなわちスイッチ45に操作力が加わる方向と、プラグを挿脱する際にコネクタ46に力が加わる方向とは、互いに平行となっている。
【００３０】
そして、このセンサ装置20の組立作業は、第１の部材51から第２の部材52を外した状態で、予め構成された第１の基板41及び第２の基板42をケース40の分割面に対して垂直に第１の部材51にスライドさせて差し込み、第１の部材51に第２の部材52を嵌め合わせるとの簡略な作業で完了する。すなわち、第１の基板41は、端縁部を把持などして、両側の縁部をそれぞれ第１の基板41の第１の係合溝61に挿入して奥側にスライドさせ、第２の基板42は、端縁部を把持などして、両側の縁部をそれぞれ第１の基板41の第２の係合溝62に挿入して奥側にスライドさせた状態で、第２の部材52の第１の係合溝61を第１の基板41の両側の縁部に挿入させ、第２の部材52の第２の係合溝62を第２の基板42の両側の縁部に挿入させて、第２の部材52を第１の方向に沿って第１の部材51側に押し込み、各係合部58をそれぞれ対応する係合受部59に係合する。この状態で、第１の基板41及び第２の基板42は、両側部のみならず前後の縁部も係合溝61，62に係合し、確実に位置決めして固定される。すなわち、この状態で、センサ取付部64にセンサ本体44が位置決めして配置され、操作部取付部67にスイッチ45の操作部31が一部が外部に突出した状態で位置決めして配置され、コネクタ用開口に、コネクタ46が位置決めして配置される。また、この状態で、第１の基板41のセンサ本体44を配置した面である実装面と、第２の基板42のスイッチ45及びコネクタ46を配置した面である実装面とは互いに反対方向を向いており、いわば、第１の基板41と第２の基板42とは背中合わせに配置され、高さ寸法を抑制可能となっている。さらに、この状態で、スイッチ45の操作部31の移動方向すなわちスイッチ45に操作力が加わる方向と、コネクタ46にプラグを挿脱する際にコネクタ46に力が加わる方向とは、互いに平行で、いずれも第２の方向Ｆ2に沿っている。
【００３１】
そして、このセンサ装置20の器具本体12への取付作業は、係止部66を器具本体12の基板部25に形成された円孔状の孔部に引っ掛けた状態で、固定部68をねじにて基板部25に締め付け固定するとの簡略な作業で完了する。すなわち、係止部66は、先端の引掛部66cを基板部25の上面側に引っ掛けることにより、センサ装置20が基板部25に対して周り止めと浮き防止され、この状態で、通孔部68bにねじの軸部を位置合わせして、ねじを基板部25に螺合し、ねじの頭部で基部68aを基板部25に締め付け固定できる。
【００３２】
一方、制御装置21は、センサ装置20とは別体をなし、センサ装置の出力によりランプＬの点灯を制御するセンサ制御装置であり、ランプＬの点灯状態を切り替える切替スイッチである第２のスイッチ72を備え、この第２のスイッチ72に第２の操作部32が設けられている。本実施の形態では、この第２のスイッチ72は、スライドスイッチであり、上記のように、１００％の明るさで点灯（全光）する点灯保持時間の経過後に、２５％の明るさで点灯（調光）する調光点灯とする調光モードと、点灯保持時間の経過後に消灯する点灯消灯（全光消灯）モードとを切換可能となっている。そして、この制御装置21は、回路基板74と、この回路基板74の下側を覆う回路基板74よりも長さ寸法の大きい下側覆体75と、回路基板74の上側の一部を覆う回路基板74よりも長さ寸法の小さい上側覆体76とを備えている。また、下側覆体75は、金属板の長手方向に沿った両側部を上側に折曲して形成され、器具本体12に係合あるいはねじ止めなどして取付られる取付部75aを備えている。また、上側覆体76は、金属板の長手方向に沿った両側部を下側に折曲して形成され、回路基板74の中央部の表面側及び両側部などを覆うようにして下側覆体75に固定されている。また、上側覆体76の表面側には、銘板76aが貼着されている。そして、回路基板74は、上側覆体76に覆われた部分に、集積回路などの電機部品が実装されている。そして、上側覆体76に覆われていない一端側には、第２のスイッチ72と、コネクタ77及び端子部78が設けられている。そして、第２のスイッチ72は、第２の操作部32を備えるもので、この第２の操作部32を制御装置21の長手方向に沿って移動させることにより、点灯状態を切り替える。また、コネクタ77は、センサ装置20と電気的に接続するためのもので、一端のプラグをセンサ装置20に接続した配線の他端のプラグが接続されるようになっている。さらに、端子部78は、点灯装置18あるいは端子台16に接続される配線がねじなし接続されるもので、配線を挿入する複数の挿入口78aと、各挿入口78aに挿入した接続した配線を引き抜き可能とするリリースボタン78bを備えている。また、上側覆体76に覆われていない一端側には、端子台16あるいは点灯装置18に接続される配線がねじなし接続される端子部79が設けられている。この端子部79にも、配線を挿入する複数の挿入口79aと、各挿入口79aに挿入した接続した配線を引き抜き可能とするリリースボタン79bを備えている。
【００３３】
このように、本実施の形態によれば、照明器具10に備えられ、センサ機能と動作設定時間の切替機能を有するセンサ装置20について、ケース40をいわば縦方向に２分割して第１の部材51と第２の部材52とで構成し、少なくとも第１の部材51に設けた係合溝61，62に、ケース40の分割面に対して垂直に配置した基板41，42を、ケース40の分割面に対して垂直にスライドさせて差し込む構成としたため、基板41，42をケース40に容易に組み込みでき、組み立て作業性を良好にできる。すなわち、ケースの分割面に対して平行に配置した部品をケース内に落とし込むように組み込む構成に比べ、奥行きの浅い第１の部材51に組み込めば良く、また、手で基板41，42の端縁のみに接触して保持することが可能であり、特に受光レンズ44aにさわることなく作業できるため、受光レンズ44aの汚れなどを防止し、人を検知する性能を維持することができる。
【００３４】
また、このセンサ装置20では、スイッチ45の操作部31の移動方向すなわちスイッチ45に操作力が加わる方向と、コネクタ46にプラグを挿脱する際にコネクタ46に力が加わる方向とは、互いに平行で、いずれも第２の方向（Ｆ2）に沿っている。すなわち、この第２の方向は、ケース40の第１の部材51と第２の部材52とを分解する方向である第１の方向（Ｆ1）と直交する方向であり、スイッチ45の操作時やコネクタ46にプラグを挿脱する際にケース40を分解する方向の力が加わらない。そこで、ケース40の第１の部材51と第２の部材52とを連結構造を簡略化でき、例えば、ねじなどを用いず係合のみにて組み合わせて構成でき、構造を簡略化して製造コストを低減できる。
【００３５】
さらに、第１の基板41と第２の基板42とを互いに平行に配置し、第１の基板41のセンサ本体44を配置した面である実装面と、第２の基板42のスイッチ45及びコネクタ46を配置した面である実装面とは互いに反対方向を向いており、いわば、第１の基板41と第２の基板42とを背中合わせに配置し、センサ本体44の受光レンズ44aを一端、ここでは上端とすると、上（一端）から下（他端）に向かい、センサ本体44、第１の基板41、第２の基板42、スイッチ45及びコネクタ46の順に配置し、これら第１の基板41及び第２の基板42などの周囲を絶縁カバーであるケース40で覆う構成としたため、第１の基板41と第２の基板42とを近接して配置でき、センサ装置20の高さ寸法を抑制できる。すなわち、高さ方向において、センサ本体44の受光レンズ44aの高さ及びスイッチ45の高さは決まってしまうが、第１の基板41の実装面と第２の基板42の実装面とを背中合わせに配置することにより、組み立て性が部品干渉などで悪くなることのない限りにおいて、２個の基板41，42を可能な限り接近させることができる。
【００３６】
そして、このようにセンサ機能と動作設定時間の切替機能を有するセンサ装置20の高さ寸法を抑制できるため、高さ寸法の小さい薄型の照明器具10においても、センサ装置20の大部分を露出しないように器具本体12などに収納し、器具外観としてセンサ装置20の受光レンズ44aのみが露出するように構成でき、センサを備えないいわば一般器具と同様に意匠の良好な照明器具10を容易に実現できる。また、センサ装置20が他の部材から突出しないため、照明器具10の包装についても、センサを備えない標準的な器具と同一の仕様の包装を流用することが可能になり、コストを低減することができる。
【００３７】
また、ケース40の第１の部材51に係止部66を設け、第２の部材52の部材に固定部68を設けたため、構造が簡略で、製造コストを低減できるとともに、このセンサ装置20の器具本体12への取付作業は、係止部66を器具本体12に引っ掛けた状態で、ねじにて基板部25に締め付け固定するとの簡略な作業で完了することができる。
【００３８】
また、制御装置21に、点灯状態としての調光状態を切り替える第２の操作部32を備える第２のスイッチ72を設けたため、１種類の点灯装置に２種類の機能を持たせることができる。そこで、基本灯具の共通化により、製造コストを低減し、生産性を向上できる。
【００３９】
また、センサ部であるセンサ装置20と、このセンサ装置20の出力によりランプＬの点灯を制御する制御装置21とを別体で備えた照明器具10であって、センサ装置20あるいは制御装置21のいずれか一方に操作部31及び第２の操作部32を集中して配置するのではなく、センサ装置20にランプＬの点灯時間を制御する点灯保持時間及びセンサの入り切り動作の設定が可能な操作部31を配置し、制御装置21に調光状態を切り替える第２の操作部32を配置したため、汎用性を向上でき、また、操作性を向上することが可能になる。すなわち、制御装置21は、通常、反射板14などに覆われて配置され、この制御装置21の第２の操作部32を操作するためには、反射板14やランプＬを取り外す必要があるが、比較的使用頻度の高い操作部、例えば、点灯保持時間及びセンサの入り切り動作の設定の操作部31をセンサ装置20に設けることにより、操作部31を反射板14などを取り外さなくとも操作できる位置に配置することが容易になり、操作性を向上できる。なお、図７に示す実施の形態では、操作部31は外部に露出して配置してはいないが、センサ装置20は通常少なくとも一部が外部に露出した状態で配置されるものであるから、操作部31を反射板14などを取り外さなくとも操作できる位置に配置することは容易である。また、操作部31を外部から操作可能な位置に配置する場合には、取付具を介して器具本体12にセンサ装置20を取り付け、ランプＬがセンサ装置20の検知領域を侵害せず、かつ、スイッチ45の操作部31が反射板14より突出して位置するように、取付具により高さ設定を行うこともできる。また、照明器具10の設置時のみに設定可能な機能などを制御装置21の第２の操作部32に割り当て、この第２の操作部32は、器具本体12を取り外さない限り操作できない位置に配置することもできる。さらに、センサ装置20と制御装置21とに分散して操作部31，32を配置することにより、センサ装置20及び制御装置21を小形化することもできる。このようにして、センサ装置20と制御装置21との汎用性を向上でき、例えば、直管形の蛍光ランプを用いる照明器具10と、埋め込み形のダウンライトなど、全く形状の異なる照明器具についても、同様のセンサ装置20と制御装置21を用いることができる。
【００４０】
また、センサ装置20と制御装置21とには、それぞれコネクタ46，77を設けたため、両端にプラグを備えた配線を用いることにより、容易に接続することができる。
【００４１】
なお、上記の実施の形態では、ランプＬとして２本の直管形の蛍光ランプを用いる埋め込み形の照明器具10について説明したが、この構成に限られず、天井直付形の照明器具や、白熱電球を用い天井に埋め込み設置されるダウンライトなど各種の照明器具に適用することができる。以下、他の実施の形態を説明する。なお、同様の構成については同一の符号を付して説明を省略する。
【００４２】
図１１は本発明の照明器具の他の実施の形態を示す分解斜視図である。図１２は同上照明器具の斜視図である。図１３は同上照明器具の一部の斜視図である。図１４は同上照明器具の構成図である。図１５は本発明のセンサ装置の他の実施の形態を示す正面図である。図１６は本発明の照明器具のさらに他の実施の形態を示す一部を切り欠いた断面図である。
【００４３】
図１１ないし図１４に示す照明器具10は、天井直付形の照明器具10で、器具本体12は、部品取付部25aの長手方向に沿った両側部を折曲して構成されている。そして、この器具本体12の長手方向の両端部には、外側に向かうソケット取付金具81が取り付けられ、各ソケット取付金具81に合計４個のランプソケット15が取り付けられている。また、反射板14は、器具本体12及び各ソケット取付金具81を覆う断面略Ｖ字状の中央反射部14aにて構成されている。そして、この反射板14のセンサ用通孔14cは、センサ装置20の受光レンズ44aのみならず、ケース40の一部が挿入されるようになっている。また、この反射板14には、ランプソケット15が挿通するランプソケット用通孔14dが形成されている。また、この反射板14は、２個の飾りねじ83にて器具本体12に取り付けられている。
【００４４】
また、図１５に示すように、この実施の形態のセンサ装置20のケース40の外形は、円柱状に形成されており、一端部に受光レンズ44aが配置されているとともに、他端部に図１６に示す脚部40aが配置されている。そして、この脚部40aを取付具85に係合し、この取付具85が器具本体12に固定されている。そこで、この取付具85の寸法により、センサ装置20が最適な寸法で反射板14のセンサ用通孔14cから外部に露出あるいは突出するように設定され、必要に応じて、センサ装置20のスイッチ45の操作部31が反射板14から露出した位置に設定される。
【００４５】
なお、この照明器具10の端子台16、点灯装置18、制御装置21、及びランプＬなどの構成及び配置は、図４ないし図７に示す実施の形態と同様であるが、図１１及び図１３には、センサ装置20と制御装置21とを接続する配線87及びその他の配線88が図示されている。また、89は、配線87をとめる粘着テープである。
【００４６】
また、図１６に示す照明器具10は、天井直付形の照明器具10で、器具本体12は、四角筒状をなし、この器具本体12の内側に図示しない点灯装置18及びセンサ装置20などが収納されている。また、ランプソケット15は、器具本体12の両端部に相対向して配置され、１本の直管形の蛍光ランプであるランプＬを点灯するようになっている。さらに、反射板14は、器具本体12に取り付けられる平面状の主反射板部14eと、この主反射板部14eの長手方向に沿った両側部から弧状に延設された側部反射板部14fとを備えている。また、この側部反射板部14fには、センサ用通孔14cが形成されている。
【００４７】
そして、この図１６に示す照明器具10では、円柱状をなすケース40を備えたセンサ装置20は、取付具90を介して器具本体12に取り付けられ、器具本体12の外部である側方に支持されている。そこで、この構成では、センサ装置20のスイッチ45の操作部31が、外部に露出した状態となっているため、反射板14を取り外すことなく操作可能であり、操作性良く点灯保持時間の設定あるいはセンサ機能の入り切りを変更でき、操作性が良好になっている。
【００４８】
なお、センサ装置20の操作部31に並んで、表示92が設けられており、この表示92は、操作部31のとりうる位置毎の動作を示しており、一端側から他端側（図における下から上）に順に、６分、３分、確認、切りなどの文字が示されている。
【産業上の利用可能性】
【００４９】
本発明は、例えば、オフィス、会議室、事務所などの施設に設置される省電力を目的とした照明器具に利用できる。
【図面の簡単な説明】
【００５０】
【図１】本発明のセンサ装置の一実施の形態を示す説明図であり、（a）は斜視図、（b）は一部の斜視図である。
【図２】同上センサ装置の一部の斜視図である。
【図３】同上センサ装置の一部の斜視図である。
【図４】本発明の照明器具の一実施の形態を示す一部を切り欠いた端面図である。
【図５】同上照明器具の斜視図である。
【図６】同上照明器具の側面図である。
【図７】同上照明器具の平面図である。
【図８】同上照明器具の制御装置の正面図である。
【図９】同上制御装置の側面図である。
【図１０】同上制御装置の端面図である。
【図１１】本発明の照明器具の他の実施の形態を示す分解斜視図である。
【図１２】同上照明器具の斜視図である。
【図１３】同上照明器具の一部の斜視図である。
【図１４】同上照明器具の構成図である。
【図１５】本発明のセンサ装置の他の実施の形態を示す正面図である。
【図１６】本発明の照明器具のさらに他の実施の形態を示す一部を切り欠いた断面図である。
【符号の説明】
【００５１】
10    照明器具
12    被取付部材としての器具本体
18    点灯装置
20    センサ装置
21    制御装置
31    操作部
32    第２の操作部
40    ケース
44    センサ本体
51    第１の部材
52    第２の部材
66    係止部
68    固定部
【図１】
2006138677.tif 000003
【図２】
2006138677.tif 000004
【図３】
2006138677.tif 000005
【図４】
2006138677.tif 000006
【図５】
2006138677.tif 000007
【図６】
2006138677.tif 000008
【図７】
2006138677.tif 000009
【図８】
2006138677.tif 000010
【図９】
2006138677.tif 000011
【図１０】
2006138677.tif 000012
【図１１】
2006138677.tif 000013
【図１２】
2006138677.tif 000014
【図１３】
2006138677.tif 000015
【図１４】
2006138677.tif 000016
【図１５】
2006138677.tif 000017
【図１６】
2006138677.tif 000018